(57)【要約】  患者からの液体を収集するための装置構成用のホース接続部が開示され、この接続部は患者と流体で接続し、１以上の突起部（３）が外面上に配置されている第１のチューブ部材（１）、及び出口（２）を備え、さらに第１のチューブ部材を通り抜ける液体を収集するために出口に接続される入口を有する収集袋（２４）を備える。入口は、袋に接続され、前記第１のチューブ部材の少なくとも一部を受け入れ、取り囲むように適合されている第２のチューブ部材（５）を備える。第２のチューブ部材は、第１のチューブ部材と第２のチューブ部材との間でロックされるが、分離可能である接続部を形成するために突起部と係合可能である１以上の受入手段（６、１１）を有する。
2010528691.tif 000002
【特許請求の範囲】
【請求項１】
患者から液体を収集する装置構成用のホース接続部であって、
前記患者の臓器と流体接続し、１または複数の突起部（３）が外面上に配置される第１のチューブ部材（１）であって、前記突起部は、張出部として少なくとも部分的に形成されている支持面（２１）及び出口（２）を備える、第１のチューブ部材（１）と、
前記第１のチューブ部材（１）を通り抜けた液体を収集するために前記出口（２）に接続される入口を有する収集袋（２４）であって、前記入口は、前記袋（２４）に接続されかつ前記第１のチューブ部材（１）の少なくとも一部を受け入れて取り囲むように構成されている第２のチューブ部材（５）を備え、前記第２のチューブ部材（５）は、前記第１のチューブ部材（１）と当該第２のチューブ部材（５）との間でロックされ、分離可能である接続部を形成するためにそれぞれ前記突起部（３）と係合可能である１または複数の陥凹部（６）及び／または縁部（１１）を有する、収集袋（２４）と、
を備えるホース接続部。
【請求項２】
前記支持面（２１）は、実質的に垂直方向に、外面（２２）から半径方向外に向かって広がり、前記傾斜面（２３）は、前記支持面の前記遠位端から前記外面（２２）に向かって広がる請求項１に記載の接続部。
【請求項３】
前記傾斜面（２３）は、凸形を有する請求項２に記載の接続部。
【請求項４】
前記（１または複数の）陥凹部（６）は、第２の部材（５）の側壁を通り、前記（１または複数の）突起部（３）の外形と実質的に同一である外形を有する請求項１から３のいずれか一項に記載の接続部。
【請求項５】
第２のチューブ部材（５）は、前記部材（５）の上側縁部から前記（１または複数の）陥凹部（６）に延びる前記側壁内の開口チャネルを形成する（１または複数の）スロット（９）を備え、
前記（１または複数の）突起部（３）は、前記チャネル内に通されて案内され、前記（１または複数の）陥凹部（６）内に係合位置を確保する請求項１から４のいずれか一項に記載の接続部。
【請求項６】
前記第１のチューブ部材（１）は、前記出口（２）の近くの外径（ｄ３）が上流の外径（ｄ１）に比べて小さい実質的に円錐状の形状である請求項１から５のいずれか一項に記載の接続部。
【請求項７】
前記第２のチューブ部材（５）の内径（ｄ４）は、前記第１のチューブ部材（１）の外径（ｄ１）及び（ｄ３）より大きい請求項６に記載の接続部。
【請求項８】
前記第１のチューブ部材（１）は、直径（ｄ２）が（ｄ１）、（ｄ３）、及び（ｄ４）より大きい幅広の中間部（２０）を備える請求項７に記載の接続部。
【請求項９】
前記幅広部分（２０）は、前記外面上の円錐状突起部によって形成される請求項８に記載の接続部。
【請求項１０】
前記（１または複数の）突起部（３）は、前記第１のチューブ部材（１）の遠位端部に設けられ、前記第２のチューブ部材（５）の遠位縁部と係合するように構成されている請求項１から９のいずれか一項に記載の接続部。
【請求項１１】
前記第１のチューブ部材（１）及び前記第２のチューブ部材（５）は、前記（１または複数の）突起部（３）が前記（１または複数の）陥凹部（６）と係合するまで前記第１のチューブ部材（１）上で前記第２のチューブ部材（５）を押圧しかつ／または回転させることによって接続されるように構成されている請求項１から１０のいずれか一項に記載の接続部。
【請求項１２】
前記突起部（３）及び陥凹部（６）は、前記第２のチューブ部材（５）を圧縮し、及び／または回すことによって係脱されるように構成されている請求項１から１１のいずれか一項に記載の接続部。
【請求項１３】
前記第１のチューブ部材（１）は、それぞれが突起部（３）を有する少なくとも２つの対向するフレキシブルな脚部（１０）を備え、
前記脚部（１０）は、前記第２のチューブ部材（５）の前記（１または複数の）陥凹部（６）または縁部（１１）から前記突起部（３）を係脱できるように互いに向かう形で曲げることができる請求項１から１２のいずれか一項に記載の接続部。
【請求項１４】
前記第１のチューブ部材（１）は、実質的に硬質のプラスチック材料で作られる請求項１から１３のいずれか一項に記載の接続部。
【請求項１５】
前記第２のチューブ部材（５）は、実質的に軟質のプラスチック材料で作られる請求項１から１４のいずれか一項に記載の接続部。
【請求項１６】
前記第１のチューブ部材（１）は、液体の量を測定するための計量器（１２）に接続される請求項１から１５のいずれか一項に記載の接続部。
【請求項１７】
前記第１のチューブ部材（１）は、前記計量器（１２）の固定インモールド成形部であり、出口（１６）を定める請求項１６に記載の接続部。
【請求項１８】
前記第１のチューブ部材（１）は、正反対に配置されている２つの突起部（３）を備える請求項１から１７のいずれか一項に記載の接続部。
【請求項１９】
前記第１のチューブ部材（１）及び／または前記第２のチューブ部材（５）は、前記他の部材（１、５）と係合するランプ部（５１）を形成する実質的に半円形のセクション（５０）を備える請求項１から１８のいずれか一項に記載の接続部。
【請求項２０】
前記第１のチューブ部材（１）及び／または前記第２のチューブ部材（５）は、前記他の部材（１、５）と係合するランプ部（５１）を少なくとも部分的に形成する環状セクションを備える請求項１から１８のいずれか一項に記載の接続部。
【請求項２１】
体液を測定するための装置であって、
上端に液体入口（１０２）、下端に液体出口（１０４）を有する計量器（１００）であって、当該計量器（１００）の内側底面（１０３）が湾曲している計量器（１００）と、
前記計量器（１００）の内側で尿の量を読み取るために前記計量器（１００）上に付けられている計量用目盛（１０５）と、
均等目盛（１０５）を使用できるように前記計量器（１００）の内側の湾曲している底面（１０３）を補正するため、計量器（１００）の内側に設けられ、前記計量器（１００）の定義済み容積を占有する充填要素（１０６）と、
を備える装置。
【請求項２２】
前記充填要素（１０６）は、前記計量器（１）の内側の壁部分の中、及び／または壁部分の上に設けられている突出部または陥凹部を備える請求項２１に記載の装置。
【請求項２３】
前記充填要素は、前記計量器の製造後に前記計量器の内側に配置されている独立の固定または可動要素を備える請求項２１または２２に記載の装置。
【請求項２４】
前記底面（１０３）は、円弧として形成される請求項２１から２３のいずれか一項に記載の装置。
【請求項２５】
出口（１０４）が設けられている弁（１０９、１１０）及び前記液体出口（１０４）に接続され、前記計量器（１００）から吊り下げられている液体収集袋（１０８）をさらに備える請求項２１から２４のいずれか一項に記載の装置。
【請求項２６】
前記計量器（１００）内に配置され前記計量器（１００）と共に垂直方向に変位可能な中空弁本体（１０９）を備え、
前記液体出口（１０４）は、前記中空弁本体（１０９）用の弁座（１１０）の形状を有し、
前記弁本体（１０９）の内部は、受入チャンバー（１１２）とオーバーフローチャンバー（１１３）とに分割され、
前記受入チャンバー（１１２）は、前記液体入口（１０２）に接続されており、前記弁本体（１０９）の下端部において前記弁本体（１０９）の閉位置で前記弁座（１１０）によって閉鎖され、かつ上側部分において前記チャンバー壁内の少なくとも１つの孔（１１６）を通して前記計量器（１００）に接続される少なくとも１つの出口開口部（１１４）を有し、
前記オーバーフローチャンバー（１１３）は、下端部に前記チャンバー壁内の孔（１１８）を介して前記計量器（１００）に直接接続されるダクト（１１７）を有し、
前記孔は、前記受入チャンバー（１１２）を前記計量器（１００）に接続しかつ前記計量器（１００）を前記オーバーフローチャンバー（１１３）に接続しており、前記中空弁本体（１０９）の同じ側に配置されている請求項２５に記載の装置。
【請求項２７】
前記弁本体（１０９）は、上端において前記弁本体（１０９）の外側から半径方向に延在する突起部（１２１）を有し、
前記突起部（１２１）は、前記計量器（１００）の囲む部分の内側の切り欠き内に配置され、これにより、前記弁本体（１０９）が回転すると前記弁本体（１０９）が垂直方向に変位する請求項２６に記載の装置。
【請求項２８】
前記弁本体（１０９）は、その上端部において半径方向に延在するウィング（１２６）を備える請求項２７に記載の装置。
【請求項２９】
前記計量器（１００）の内側は、前記弁本体（１０９）の外側に接触する１以上の突起部を備え、前記弁本体（１０９）のガイドとして働く請求項２６から２８のいずれか一項に記載の装置。
【請求項３０】
Ｏリング用の２つの環状溝（１１９）が、閉位置で前記弁座（１１０）と接触する前記弁本体（１０９）のそのゾーン内に設けられている請求項２６から２９のいずれか一項に記載の装置。
【請求項３１】
前記弁本体（１０９）は、カバー（１１１）によって上部で閉鎖される請求項２６から３０のいずれか一項に記載の装置。
【請求項３２】
前記カバー（１１１）は、弁フラップによって覆われている傾斜端面を有するチューブ部材の形態の液体入口（１２２）を備える請求項３１に記載の装置。
【請求項３３】
前記カバー（１１１）は、空気透過及び液密フィルターによって覆われている開口部（１２４）を備える請求項３２に記載の装置。
【請求項３４】
尿を測定し、収集するための請求項２１から３３のいずれか一項に記載の装置。
【請求項３５】
計量器（１００）及び請求項１から２０のいずれか一項に記載のホース接続部によって接続されている収集袋（１０８）を備える、患者からの液体の量を測定するための装置構成。
【請求項３６】
上端に液体入口（１０２）が下端に弁が設けられている液体出口（１０４）を有する計量器（１００）と、前記液体出口（１０４）に接続され前記計量器から吊り下げられている液体収集袋（１０８）と、を備える、体液を測定し、収集する装置構成であって、
中空弁本体（１０９）が前記計量器（１００）内に配置され、前記計量器（１００）内で垂直方向に変位可能であり、前記液体出口の一部が、前記中空弁本体（１０９）用の弁座（１１０）の形状を有し、
前記弁本体の内部は、受入チャンバー（１１２）と、オーバーフローチャンバー（１１３）と、に分割され、
前記受入チャンバー（１１２）は、前記液体入口（１０２）に接続され、前記弁本体の前記下端部において前記弁本体（１０９）の前記閉位置で前記弁座（１１０）によって閉鎖さられかつ上側部分において前記チャンバー壁内の少なくとも１つの孔（１１６）を通して前記計量器（１００）に接続される少なくとも１つの出口開口部（１１４）を有し、
前記オーバーフローチャンバー（１１３）は、下端部において前記計量器（１００）の前記液体出口（１０４）に直接接続され、上端部において前記チャンバー壁内の孔（１１８）を介して前記計量器（１００）に接続されるダクト（１１７）を有し、
前記孔は、前記受入チャンバー（１１２）を前記計量器（１００）に接続しかつ前記計量器（１００）を前記オーバーフローチャンバー（１１３）に接続しており、前記中空弁本体（１０９）の同じ側に置かれ、
前記計量器（１００）及び収集袋（１０８）は、請求項１から２０のいずれか一項に記載のホース接続部によって接続される装置構成。
【請求項３７】
患者から尿を収集するための請求項３５または３６に記載の装置構成の使用。
【発明の詳細な説明】
【技術分野】
【０００１】
本発明は、計量器と患者から液体を収集する装置構成のホース接続部とに関する。特に、このホース接続部は、収集袋と寝たきり患者からの尿の量を測定するための計量器との間で使用される。
【背景技術】
【０００２】
入院患者からの液体の測定及び収集は、患者体内に、例えば、膀胱に挿入されたカテーテルを使用して行われており、上記カテーテルは、計量器または液体を収集するための収集袋に接続される。
【０００３】
計量器またはカテーテルは、収集袋に接続されて固定されており、この袋は、袋の底部にある弁を使って中身を排出することができる。しかし、袋は、満杯になったときにただ単に空にすることに替えて新たな袋に交換することが好ましい。この交換は、１日に何回も行わなければならず、したがって、看護師の作業量を減らして液体が零れる危険性を回避するために看護師が手軽に行えるものであることが重要である。そのため、交換する袋と他のパーツとの間の接続は、分離可能でなければならず、また実行するのに大きなエネルギーが不要でなければならないが、それにもかかわらず、接続が適切になされ、使用時に完全な気密を保つものでなければならない。
【０００４】
既知のホース接続部の特性では、これらの接続部が使用時に緩んで接続が外れるか、またはきつすぎて接続を外すのが非常に難しい。
【０００５】
特許文献１では、導尿カテーテル用のインラインホースコネクタを開示している。コネクタは、カテーテルチューブに接続されるホースバーブを有する第１の部分と、円筒状開口部及び周方向に延在する締め付けストラップを有する第２の部分と、を有する。第２の部分の突出部は、ピースを捩った後に締付ストラップ上の孔に嵌合し、張力が加えられたときに突出部から締付ストラップから係脱し、ひいてはパーツを接続解除することを補助する形状をとる。
【０００６】
特許文献１のコネクタパーツは、両方とも硬質プラスチックで作られているので、これらのパーツ間のＯリングは、封止を提供しなければならない。さらに、この構造は、それというのも、それぞれが端部にカテーテルチューブの一部を有する２つの成形品からなるため、非常に入り組んでおりかつ高価である。
【０００７】
他の既知のホース接続部は、雄チューブ上でスライドする袋状の雌チューブからなり、雄チューブは漸次拡径する複数の円錐形状の突起部を有し、漸次拡径することで生じる摩擦を用いて雄チューブが雌チューブに接続される。このような接続により、締め付けがうまく行われるが、大きなエネルギーを用いずに、また液体をこぼさずに分離することは非常に困難であるか、またはまったく分離できないことすらありうる。
【０００８】
他のホース接続部は、特許文献２〜特許文献６において開示されている。
【先行技術文献】
【特許文献】
【０００９】
【特許文献１】米国特許出願公開第２００４／０２１５１５８号明細書
【特許文献２】米国特許出願公開第２００２／１２３７３９号明細書
【特許文献３】欧州特許第０９０１７７８号明細書
【特許文献４】ドイツ特許第２９８１８３１１号明細書
【特許文献５】米国特許第５３５６３９６号明細書
【特許文献６】米国特許第４５７９１２６号明細書
【発明の概要】
【発明が解決しようとする課題】
【００１０】
本発明の目的は、収集袋と患者への流体接続部との間に、使用時に適切な締め付けを行いつつ組み立て及び分離が行いやすく、製造が簡単かつ安価に行えるホース接続部を形成することである。
【課題を解決するための手段】
【００１１】
本発明の目的と本発明の以下の説明とから明らかになる利点は、本発明の第１の態様による以下のホース接続部を用いることで得られ、患者から液体を収集するための装置構成用の前記ホース接続部は、
−  患者に流体接続し、１以上の突起部が外面上に配置され、前記突起部は張出部として少なくとも部分的に形成されている支持面（２１）及び出口を備える第１のチューブ部材と、
−  前記第１のチューブ部材を通過する液体を収集するために前記出口に接続される入口を有する収集袋であって、前記入口が、袋に接続されかつ前記第１のチューブ部材の少なくとも一部を受け入れて取り囲むように構成されている第２のチューブ部材を備え、第２のチューブ部材が、第１及び第２のチューブ部材の間でロックされているが、分離可能である接続部を形成するためにそれぞれ前記突起部と係合可能である１以上の陥凹部及び／または縁部を有する、収集袋と、
を備える。
【００１２】
第２のチューブ部材は、好ましくは、接着によって袋に接続されるが、例えば、インモールド成形によって袋の一体化した部分とすることができる。第２のチューブ部材は、例えば、既知の軟質プラスチックホース、例えば、ＰＶＣのピースとすることが可能であり、これは、袋の中の形成済みの孔に接着することができ、これにより、安価な構造物を容易に製造できるようになる。この構造物は安価に製造できるので、再利用が不要で、使用後に廃棄可能なゴミ袋の利用が可能になる。
【００１３】
（１以上の）突起部は、実質的に垂直方向にかつ外面から径方向外方に向けて延在する（１以上の）陥凹部または縁部に対する支持面と、前記支持面の遠位端から外面に向けて延在する傾斜面と、を備える。支持面は、好ましくは安全にロックされた接続部を形成するために張出部に接するように構成されている対応する表面を有する（１以上の）陥凹部を支持する張出部として少なくとも部分的に形成される。張出部は、実質的に同じ高さすなわち平坦であってもよいか、または張力によって引き起こされる意図しない接続の外れを防止するために（１以上の）対応する陥凹部が係合できる載置部を定める他の好適な構成を有する。
【００１４】
傾斜面は、陥凹部が支持面に到達するまでチューブ部材がスライドできるシュートを形成し、シュートを使用することで、２つのチューブ部材の間の接続を容易に行える。傾斜面は、例えば、凸状または凹状とすることができる。
【００１５】
好ましくは、陥凹部は、第２の部材の側壁を貫通し、半円形または矢印形または矩形などの突起部の外形と実質的に同一の外形を有するが、これに限定されない。
【００１６】
第２のチューブ部材は、第２の部材の上側縁部から（１以上の）陥凹部に延在する側壁内の開口チャネルを形成する（１以上の）スロットを備え、これにより、突起部は、チャネル内に案内され、（１以上の）陥凹部内に係合位置を確保する。
【００１７】
第１及び第２のチューブ部材は、それぞれの部材の対向する側面にそれぞれ配置されている２つの陥凹部及び突起部を備えてもよい。一実施形態において、第２のチューブ部材は、正反対に配置されている２つの突起部を備える。しかし、チューブ部材は、１または２を越える陥凹部及び突起部を備えてもよく、これらは部材の表面に沿って均一にまたは不均一に分散する。
【００１８】
第１のチューブ部材は、好ましくは、出口近くの外径（ｄ３）がその上流の外径（ｄ１）より小さく、第２のチューブ部材の内径（ｄ４）が好ましくは第１のチューブ部材の外径（ｄ１）及び（ｄ３）より大きいほぼ円錐状をなす。これにより、第２のチューブ部材は、著しい摩擦を引き起こすことなく第１のチューブ部材上で容易にスライドさせることができるが、それでも、（１以上の）陥凹部と（１以上の）突起部との間の係合によって第１のチューブ部材にロックされ接続される。
【００１９】
（１以上の）陥凹部と突起部との間の係合と組み合わせることによって、組み立てと分離とが容易になり、簡単に安く製造できる接続部が形成され、かつ締め付けも適切に行える。
【００２０】
なおいっそう締め付けを良好なものとするために、第１のチューブ部材は、（ｄ１）、（ｄ３）、及び（ｄ４）より大きい直径（ｄ２）を有する幅広の中間部を備えることができる。しかし、直径（ｄ２）は、好ましくは、（ｄ４）に比べてあまり大きくなく、大きな摩擦を引き起こさずに組み立て及び分離を簡単に行える。幅広部分は、外面上の円錐状突起部によって形成されうる。
【００２１】
これらの直径は、例えば、（ｄ１）＝１１ｍｍ、（ｄ２）＝１１．４ｍｍ、（ｄ３）＝１０．８ｍｍ、及び（ｄ４）＝１１．２ｍｍとすることができるが、これらはもちろん変化させてもよい。
【００２２】
好ましくは、第１及び第２のチューブ部材は、合同の断面外形を有する、つまり、これらは互いに滑らかに嵌合し、第２の部材は、好ましくは必ずというわけではないが第１のチューブ部材の外面全体を被覆する。
【００２３】
一実施形態において、突起部は、第１のチューブ部材の遠位端部に形成されており、第２のチューブ部材の遠位縁部と係合するように構成されている。一実施形態において、第１のチューブ部材は、少なくとも２つの対向する可撓性を有する脚部を備え、それぞれ第２のチューブ部材の遠位縁部と係合するように適合された突起部（バーブ部）を有し、脚部は第２のチューブ部材の縁部から突起部を係脱するために互いに向かい合う形で曲げることができる。
【００２４】
第１及び第２のチューブ部材は、突起部が陥凹部と係合するまで第１のチューブ部材上で第２のチューブ部材を押圧しかつ／または回転させることによって接続できる。上述のような開口チャネルを持つ実施形態において、第２のチューブ部材は、押圧しかつ回転され、突起部を（１以上の）陥凹部内に案内する。突起部及び陥凹部は、好ましくは第２のチューブ部材を圧縮しかつ／または回転させることによって互いから係脱することができる。第２のチューブ部材は、好ましくは、軟質プラスチック材料で形成されており、これにより、２つの対向する側面に押し付けられ、その結果、（１以上の）陥凹部を含む側壁が広がり、そして、第１のチューブ部材上の突起部が係脱する。
【００２５】
実施形態において、第１及び／または第２のチューブ部材は、相対的に捩ることによって部材の係脱が簡単に行えるようにするために、他方の部材と係合するランプ部を形成するほぼ半円形のセクションを備えることができる。好ましくは、第２のチューブ部材が捩られる。ランプ部を形成する半円形セクションは、好ましくは、直径ｄ１を有し、好ましくは出口端部よりも第１のチューブ部材の入口端部に近接する第１のチューブ部材の一部を部分的に取り囲むように形成される。
【００２６】
実施形態において、第１及び／第２のチューブ部材は、それに替えて、少なくとも部分的にランプ部を形成する環状セクションを備えることができる。「少なくとも部分的に」とは、例えば、環状セクションが、ランプ部を形成するほぼ半円形のセクションを部分的に備え、かつランプ部がない隣接する半円形セクションを部分的に備えることを含むことを意味する。しかし、環状セクションは、好ましくは、ランプ部を備える２つの隣接する半円形セクションを備えてもよい。原理上、ランプ部を備える任意の数のセクションは、共に環状セクションを形成してもよい。他の部材上の係合面は、このような実施形態において、第１の部材上の（１以上の）セクションに応じて適切に構成してもよい。
【００２７】
ランプ部を形成する半円形または環状のセクションは、第１のチューブ部材の外側係合面部分内に１以上の対応する陥凹部が形成されている第２のチューブ部材の係合面上に、または係合面として形成されうる。
【００２８】
好ましくは、これらの部材のうちの一方のみが、半円形または環状のセクションを備えるが、このようなセクションは、さらに、両方の部材上に形成されうる。
【００２９】
本発明においてこのようなランプ部を部材の一方または双方上に形成することによって、好ましくは第１のチューブ部材に対して第２のチューブ部材を捩ることによって、ホース接続部の接続を人が意図的に外すことが特に容易である。これは、セクション上にあるランプ部がスライドして他方の部材の表面に当接するからであり、これにより、第２のチューブ部材上にある（１以上の）陥凹部は、第１のチューブ部材の張出部上の載置位置から解放される。したがって、過剰な力は不要であり、部材は、使用している安全に、きつくロックされている接続部を損傷することなく快適な方法で互いから解放することができる。
【００３０】
第１のチューブ部材は、好ましくは、ＳＡＮプラスチックなどの約１００のショアＡ値を有する硬質プラスチック材料で作られる。第２のチューブ部材は、好ましくは、ポリ塩化ビニルなどの約８０のショアＡ値を有する軟質プラスチック材料で作られる。
【００３１】
第１のチューブ部材は、患者の臓器に直接接続されるホース／カテーテルの一部であるか、または尿などの液体量を測定する計量器の一部であってもよい。第１のチューブ部材は、この計量器に接続することができるか、または計量器の出口を定める前記計量器の固定インモールド成形部分とすることができる。
【００３２】
第２の態様によれば、本発明は、患者からの液体量を測定する装置構成に関しており、この装置構成は、計量器及び上述のホース接続部に従ってホース接続部により接続されている収集袋を備える。
【００３３】
第３の態様によれば、本発明は、患者から尿を収集する第２の態様による装置構成の使用に関する。
【００３４】
第４の態様によれば、本発明は、液体、特に、寝たきり患者からの尿の量を測定する計量器に関する。この計量器は、液体を受け入れて収納する中空部材を備え、この部材の底面は、計量器の出口で終端する中心柱を形成する中間部の各側面に設けられた湾曲形状を有する。
【００３５】
例えば、出口は、上述のように接続部に従って第１のチューブ部材によって形成される出口とすることができ、これにより、計量器を上述のようにホース接続部によって袋に連結できる（図７ａ及び図７ｂを参照）。
【００３６】
計量器には、中に存在する液体の量を表示する計量用目盛が設けられている。底面が湾曲しているので、目盛は、基本的に均等目盛ではありえないが、それを解決するために、計量器には、計量器の定義済み容積を占める陥凹部または他の要素が備えられており、これにより、計量器上で均等目盛を使用することが可能になる。陥凹部は、例えば、計量器の背面に設けられ、湾曲面が開始するレベルに実質的に等しいレベルで計量器の内側のまっすぐな水平底面を規定する。
【００３７】
計量器の湾曲面により、外側からのアクセス及び清掃を困難にする可能性のある角部がないので衛生上もよい。さらに、湾曲面は、保持しやすく人間工学的にも優れた計量器を実現する。
【００３８】
計量器の実施形態は、図７ａ〜図８ｂに示されている。
【００３９】
第５の態様によれば、本発明は、体液を測定し、収集する装置構成に関し、この装置構成は、上端部に液体入口を、下端部に弁が設けられた液体出口を有する計量器と、液体出口に接続され計量器から吊り下げられている液体収集袋と、を備え、中空弁本体は、計量器内に配置され、計量器内で垂直方向に変位可能であり、液体出口の一部が、中空弁本体用の弁座の形状を有し、弁本体の内側は受入チャンバーとオーバーフローチャンバーとに分けられ、前記受入チャンバーは液体入口に接続され、弁本体の下端に弁本体の閉位置で弁座によって閉じられ、その上側部分においてチャンバー壁内の少なくとも１つの孔を通して計量器に接続される少なくとも１つの出口開口部を有し、前記オーバーフローチャンバーは下端に計量器の液体出口に直接接続され、上端においてチャンバー壁内の孔を介して計量器に接続されるダクトを有し、これらの孔は受入チャンバーを計量器に接続し、計量器からオーバーフローチャンバーまでは中空弁本体の同じ側に置かれ、計量器及び収集袋は、本発明の第１の態様によるホース接続部によって接続される。
【００４０】
この装置構成は、図８ａ〜図９ｅを参照しながら以下でさらに説明される。
【００４１】
本発明の実施形態は、添付の図面を参照しながら詳細に説明される。
【図面の簡単な説明】
【００４２】
【図１ａ】本発明による接続部の第１の実施形態を示す図である。
【図１ｂ】本発明による接続部の第１の実施形態を示す図である。
【図１ｃ】本発明による接続部の第１の実施形態を示す図である。
【図２ａ】本発明による接続部の第２の実施形態を示す図である。
【図２ｂ】本発明による接続部の第２の実施形態を示す図である。
【図２ｃ】本発明による接続部の第２の実施形態を示す図である。
【図３ａ】本発明による接続部の第３の実施形態を示す図である。
【図３ｂ】本発明による接続部の第３の実施形態を示す図である。
【図３ｃ】本発明による接続部の第３の実施形態を示す図である。
【図４ａ】本発明による接続部の第４の実施形態を示す図である。
【図４ｂ】本発明による接続部の第４の実施形態を示す図である。
【図４ｃ】本発明による接続部の第４の実施形態を示す図である。
【図５ａ】本発明による接続部の第５の実施形態を示す図である。
【図５ｂ】本発明による接続部の第５の実施形態を示す図である。
【図５ｃ】本発明による接続部の第５の実施形態を示す図である。
【図６】本発明による第１のチューブ部材の断面図である。
【図７ａ】本発明による計量器を示す図である。
【図７ｂ】本発明による計量器を示す図である。
【図７ｃ】計量器及び本発明によるホース接続部によって接続される収集袋を示す図である。
【図８ａ】図７ａ〜図７ｃの計量器をさらに詳しく示す図である。
【図８ｂ】図７ａ〜図７ｃの計量器をさらに詳しく示す図である。
【図９ａ】本発明による計量器の弁本体の断面図である。
【図９ｂ】本発明による計量器の弁本体の断面図である。
【図９ｃ】本発明による計量器の弁本体の断面図である。
【図９ｄ】本発明による計量器の弁本体の断面図である。
【図９ｅ】本発明による計量器の弁本体の断面図である。
【図１０ａ】本発明によるランプ部を備える半円形セクションを有する第１のチューブ部材の斜視略図である。
【図１０ｂ】本発明によるランプ部を備える半円形セクションを有する第１のチューブ部材の斜視略図である。
【図１０ｃ】本発明によるランプ部を備える半円形セクションを有する第１のチューブ部材の斜視略図である。
【発明を実施するための形態】
【００４３】
図１ａ〜図１ｃは、第１のチューブ部材１を備える接続部の第１の実施形態を示しており、第１のチューブ部材は、出口２を規定しており、２つの対向配置された突起部３が外面上に設けられている。第１のチューブ部材１は、例えば計量器の底部４の一部を形成する。第２のチューブ部材５は、２つの対向配置された陥凹部６が図１ｂに示されているように各突起部３と係合するように第１のチューブ部材１上でスライドさせることによって第１のチューブ部材に接続されるように構成されている。
【００４４】
接続部を分離するために、第２のチューブ部材５を回転し、その後、図１ｃに示されているように下方に引かれ、これにより、突起部３は、陥凹部６から係脱する。
【００４５】
第２の部材５が好ましくは軟質プラスチック材料で作られているので、陥凹部６が設けられている側面と反対側の２つの側面上に第２の部材が押し付けられると、陥凹部を含む側面が広がり、突起部３から係脱できる。
【００４６】
突起部３は、第２のチューブ部材の陥凹部６の対応する支持面を支持する張出部として少なくとも部分的には形成される上側支持面を備えており、これにより、第２のチューブ部材５は、図１ｂに最もよく示されているように、第１のチューブ部材とロックするが分離可能なように接続する位置に置かれる。支持面は、第１のチューブ部材から垂直かつ半径方向に広がり、張出部を構成する。これにより、第２のチューブ部材は、陥凹部の支持面が突起部３の張出部に載置されるため、誤って外れてしまうことがない。この接続部を使用することにより、突起部３及び陥凹部６による安全なロック接続が得られながら、容易にかつ多くのエネルギーを必要とすることなく２つのチューブ部材を互いに接続することができる。さらに、陥凹部６から突起部３を係脱するために第２のチューブ部材を捩るか回転するだけでよいので、接続部は、容易に分離可能である。図１０ａ〜図１０ｃに示されている他の実施形態では、部材を容易に分離するか、または接続を外せるが、これは、チューブ部材の一方または両方にランプ部を設けることによってさらに容易になる。
【００４７】
図２ａ〜図２ｃは、接続部の他の実施形態を示しており、突起部３は、矢印状に形成され、陥凹部６は、これに対応する形状を有する。第２のチューブ部材５は、図１ａ〜図１ｃの実施形態と同様にして第１のチューブ部材１に接続され、また分離される。
【００４８】
本明細書で上述の直径ｄ１、ｄ２、ｄ３及びｄ４は、図２ａに示されている。
【００４９】
第２のチューブ部材５には、取り付けやすいようにライン７にそって溝が付けられている。
【００５０】
図３ａ〜図３ｃは、第１のチューブ部材１の外面に沿って周方向に延在する細長い突起部３を有する接続部の他の実施形態を示している。第２のチューブ部材５は、図１ａ〜図２ｃの実施形態と同様にして第１のチューブ部材１に接続され、また分離される。
【００５１】
陥凹部８は、取り付けやすいように第１のチューブ部材の外面内に設けられているが、第１のチューブ部材１から分離するときに第２のチューブ部材５を圧縮するための空間として使用することもできる。
【００５２】
図４ａ〜図４ｃは、本発明による接続部の他の実施形態を示しており、第２のチューブ部材５は、第１のチューブ部材１に接続するためにスライドされ、最終的に回転される。第１の部材１は、部材の上側縁部から陥凹部３に延在する側壁内に開口チャネルを形成するスロット９を備える。突起部３は、陥凹部６内で係合位置をとるようにチャネル内を案内されて通される。突起部３及び陥凹部６は、対応する傾斜上側支持面を有しており、誤って分離しないより良好な接続部が形成される。
【００５３】
図５ａ〜図５ｃは、本発明による接続部の他の実施形態を示しており、突起部（バーブ部）３は、第１のチューブ部材１の遠位端部に設けられており、突起部３は、第２のチューブ部材５の遠位縁部１１と係合するように構成されている。第１のチューブ部材１は、それぞれが突起部３を有する２つの対向するフレキシブルな脚部１０を備え、脚部１０は、第２のチューブ部材５の縁部から突起部３を係脱できるように対向する形で曲げることができる。第２のチューブ部材５は、例えば、図５ｂに示されているように、脚部１０を圧縮すべき場所を示す印刷を備えることができる。
【００５４】
したがって、第２のチューブ部材５は、図５ｃに示されているように、脚部１を互いに向けて圧縮し、そして部材５を下方に引くことによって第１のチューブ部材１から分離される。
【００５５】
図１ａ〜図５ｂに示されている突起部及び陥凹部の外形は、例示であり、これは適切なロックされている分離可能ホース接続をなしているが、他の外形ももちろん使用できる。
【００５６】
図６は、本発明による第１のチューブ部材１の断面図である。部材１は、図２ａに示されているような直径ｄ２を持つ幅広の円錐状部分２０、及び突起部３を備える。突起部３は、第２のチューブ部材の陥凹部の対応する支持面に対する支持面２１を備えており、支持面２１は、外面２２から実質的に垂直かつ半径方向に広がる。傾斜面２３は、前記支持面２１の遠位端部から外面へ向けて延在する。支持面２１は、実質的に均一な、または平面の張出部の形態で示されている。傾斜面２３は、突起部３上で第２のチューブ部材の移動を滑りやすくし、第１のチューブ部材上の張出部と第２のチューブ部材上の対応する陥凹部との間でロックされているが分離可能な接続を形成する。
【００５７】
図７ａ〜図７ｂは、液体、特に、寝たきり患者からの尿の量を測定する本発明による計量器の前面及び後面を示す図である。計量器１００は、液体を受け入れて収納するための入口１０２を有する中空部材を備え、底面１０３は湾曲した形状を有する。出口１０４は、計量器１００の底部に設けられており、図７ｃに示されているように収集袋に連結できる。
【００５８】
計量器１００には、中に存在している液体量を表示する計量用目盛１０５が設けられている。湾曲した底面１０３に基づき、計量用目盛１０５は、基本的に均等目盛ではありえないが、その問題を解決するために、計量器１００には、湾曲した表面が始まるレベルに実質的に等しいレベルでまっすぐな水平底面１０７を規定する後部に陥凹部として設けられている充填要素１０６が設けられている。計量器の定義済み容積を占め、その結果湾曲した底面１０３を補正する充填要素１０６が存在しているので、均等目盛１０５を使用することが可能となる。
【００５９】
計量器１００の湾曲面１０３により、外側からのアクセス及び清掃を困難にする可能性のある角部がないので衛生上もよい。さらに、これは、保持しやすく人間工学的にも優れた計量器を実現する。
【００６０】
図７ｃは、計量器１００と計量器の出口１０４及び袋の入口を介して互いに接続されている収集袋１０８とを示しているが、これは、袋１０８に接着されるチューブ部材によって形成されうる。
【００６１】
図８ａ及び図８ｂは、計量器の内側をより詳細に見るための図７ａ〜図７ｃの計量器の透視図である。計量器１００は、液体を受け入れて収納するための中空部材を備え、底面１０３は、計量器１００の出口１０４で終端する中心柱のそれぞれの側面に設けられた湾曲形状を有する。中心柱は、計量器の弁本体１０９を形成し、弁本体１０９は回転によって軸方向に変位可能であり、これはその下端部において、弁座１１０と接触し、頂部においてカバー１１１で閉鎖されている。弁本体１０９は、図９ａ〜図９ｅを参照しながらより詳細に説明される。
【００６２】
図８ｂは、計量器１００の断面図である。図８ｂに示されているように、充填要素１０６は、計量器の後壁に成形された突出部として設けられる。
【００６３】
図９ａ〜図９ｅは、図７ａ〜図７ｃ及び図８ａ及び図８ｂに示されているように計量器１００の弁本体１０９の断面図を示している。
【００６４】
図９ｃは、図９ａの弁本体のIII−III線に沿って切り取った断面図であり、図９ｄは、底部から見た弁本体の上側部分を示す図であり、図９ｅは、図９ｄの弁本体の上側部分の断面図である。
【００６５】
中心柱は、２つのチャンバー、受入チャンバー１１２とオーバーフローチャンバー１１３で構成される弁本体１０９を定める。下端において、受入チャンバー１１２は、閉位置で弁座１１０と接触し、液体のオーバーフローを防止する弁表面１１５で終端する２つの孔１１４を備える。受入チャンバー１１２の上端において、周囲の計量器１００からチャンバー１１２を分離する壁内に２つの孔１１６が設けられる。
【００６６】
下端において、オーバーフローチャンバー１１３は、計量器の液体出口と前記オーバーフローチャンバー１１３とが直接接触する際に通るダクト１１７を備える。液体出口は、計量器が収集袋１０８に接続できるようにチューブ部材によって形成される。
【００６７】
オーバーフローチャンバー１１３の上端には、弁壁内に孔１１８が設けられる。
【００６８】
それぞれがＯリング（図示略）を備える２つの環状溝１１９が、下端の弁本体の外側に設けられる。Ｏリング（図示略）を備える環状溝１２０が設けられる。
【００６９】
弁本体１０９の外側には、同様に、計量器１００の後壁の外側に形成されている切り欠き内に挿入される突出部１２１が設けられている。
【００７０】
弁本体１０９のカバー１１１には、２つの開口部が設けられており、一方の開口部は、液体の導入を可能とし、液体の逆流を防ぐゴム製フラップ（図に示されていない）によって覆われている傾斜面１２３で終端するチューブ部材１２２である。エアーフィルター（図に示されていない）を支持する支持リブ１２５によって部分的に覆われている換気開口部１２４が設けられる。
【００７１】
液体は下方へ進み、チューブ部材１２２を介して弁本体１０９の内側にある受入チャンバー１１２内に入る。その初期（閉）位置では、弁本体１０９の弁表面１１５は、弁座１１０と接触しており、したがって、液体は孔１１４を通過することを可能としない。したがって、受入チャンバー１１２内の液位が上昇するので、弁本体１０９上の計量用目盛１０５ａ（図７ａを参照）を使用して、収集された液体の量を読み取ることができる。
【００７２】
液体表面が孔１１６のレベルに達すると、液体のさらに導入されることで、計量器１００の充填が開始する。
【００７３】
計量器には、受入チャンバーから計量器に入る液体の最初の量を測定するために湾曲した底面を持つ計量器の下端に追加の非均等測定用目盛１０５ｂ（図７ａを参照）が設けられている。湾曲した底面を補正する充填要素１０６が存在するので、測定用目盛は非均等目盛１０５ｂから均等目盛１０５に移行する。
【００７４】
追加の量の液体が導入されると、計量器１００は、さらに、充填され、孔１１８を通って、オーバーフローチャンバー１１３内の計量器１００からの液体のオーバーフローが発生しうる。ここから、液体は、ダクト１１７を介して下向きに、液体出口１０６を通り、収集袋１０８内に入る。
【００７５】
この時点で、またはそれ以前の所望の時点において、ウィング１２６を時計回りに回転させることによって受入チャンバー１１２、ひいては計量器１００を空にできる。このような回転は弁本体１０９の回転を引き起こし、突出部１２１が上方向の傾斜溝（図に示されていない）内に配置されているため、弁本体１０９は、回転と共に持ち上げられ、弁表面１１５が弁座１１０から取り外される。したがって、出口に接続されている収集袋１０８内に液体が流れ落ちるときに、孔１１４を通して素早く受入チャンバーを、また弁表面１１５と弁座１１０との間の空間を通して計量器１００を空にすることが可能である。
【００７６】
図１０ａ〜図１０ｃは、出口２を形成し、突起部３が外面上に設けられている第１のチューブ部材１の実施形態を示している。第１のチューブ部材１は、上述のように例えば計量器の底部４の一部を形成する。半円形セクション５０は、底部４に隣接するように示されている第１のチューブ部材を部分的に取り囲む。セクション５０は、第２のチューブ部材（図示略）の係合面と係合する表面を有するランプ部５１を形成し、この表面はある位置、例えば、突起部３の上の底部４と実質的に同じ高さであり、第１のチューブ部材１の外面の対向位置で底部４から一定距離隔てられたレベルまで「登る」。半円形セクションは、さらに、チューブ部材の周りの他の好適な位置で底部４と同じ高さにあるものとすることもできる。
【符号の説明】
【００７７】
１  第１のチューブ部材、２  出口、３  突起部、４  計量器の底部、５  第２のチューブ部材、６  陥凹部、７  ライン、８  陥凹部、９  スロット、１０  脚部、１１  遠位縁部、２１  支持面、２０  円錐状部分、２１  支持面、２２  外面、５０  半円形セクション、１００  計量器、１０２  入口、１０３  底面、１０４  出口、１０５  計量用目盛、１０５ａ  計量用目盛、１０５ｂ  非均等目盛、１０６  充填要素、１０７  まっすぐな水平底面、１０８  袋、１０９  弁本体、１１０  弁座、１１１  カバー、１１２  受入チャンバー、１１３  オーバーフローチャンバー、１１４  孔、１１５  弁表面、１１６  孔、１１７  ダクト、１１８  孔、１１９  環状溝、１２０  環状溝、１２１  突出部、１２２  チューブ部材、１２３  傾斜面、１２５  支持リブ、１２６  ウィング
【図１ａ】
2010528691.tif 000003
【図１ｂ】
2010528691.tif 000004
【図１ｃ】
2010528691.tif 000005
【図２ａ】
2010528691.tif 000006
【図２ｂ】
2010528691.tif 000007
【図２ｃ】
2010528691.tif 000008
【図３ａ】
2010528691.tif 000009
【図３ｂ】
2010528691.tif 000010
【図３ｃ】
2010528691.tif 000011
【図４ａ】
2010528691.tif 000012
【図４ｂ】
2010528691.tif 000013
【図４ｃ】
2010528691.tif 000014
【図６】
2010528691.tif 000015
【図７ａ】
2010528691.tif 000016
【図７ｂ】
2010528691.tif 000017
【図７ｃ】
2010528691.tif 000018
【図８ａ】
2010528691.tif 000019
【図８ｂ】
2010528691.tif 000020
【図９ａ】
2010528691.tif 000021
【図９ｂ】
2010528691.tif 000022
【図９ｃ】
2010528691.tif 000023
【図９ｄ】
2010528691.tif 000024
【図９ｅ】
2010528691.tif 000025
【図１０ａ】
2010528691.tif 000026
【図１０ｂ】
2010528691.tif 000027
【図１０ｃ】
2010528691.tif 000028
【図５ｂ】
2010528691.tif 000029
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
患者から液体を収集する装置構成用のホース接続部であって、
前記患者の臓器と流体接続し、１または複数の突起部（３）が外面上に配置される第１のチューブ部材（１）であって、前記突起部は、張出部として少なくとも部分的に形成されている支持面（２１）及び出口（２）を備える、第１のチューブ部材（１）と、
前記出口（２）に接続可能な入口を有しかつ前記第１のチューブ部材（１）を通り抜けた液体を収集するための収集袋（２０８）に接続される第２のチューブ部材（５）であって、前記入口は、当該第２のチューブ部材（５）を備え、当該第２のチューブ部材（５）は、前記第１のチューブ部材（１）の少なくとも一部を受け入れて取り囲むように構成されており、当該第２のチューブ部材（５）は、前記第１のチューブ部材（１）と当該第２のチューブ部材（５）との間でロックされ、分離可能である接続部を形成するためにそれぞれ前記突起部（３）と係合可能である１または複数の陥凹部（６）及び／または縁部（１１）を有する、第２のチューブ部材（５）と、
を備え、
ランプ部（５１）は、前記第１のチューブ部材（１）及び／または第２のチューブ部材（５）上に形成され、
前記ランプ部（５１）は前記部材（１、５）の係脱が簡単に行えるように前記他の部材（１，５）上の表面と係合するホース接続部。
【請求項２】
前記支持面（２１）は、実質的に垂直方向に、外面（２２）から半径方向外に向かって広がり、前記傾斜面（２３）は、前記支持面の前記遠位端から前記外面（２２）に向かって広がる請求項１に記載の接続部。
【請求項３】
前記傾斜面（２３）は、凸形を有する請求項２に記載の接続部。
【請求項４】
前記（１または複数の）陥凹部（６）は、第２の部材（５）の側壁を通り、前記（１または複数の）突起部（３）の外形と実質的に同一である外形を有する請求項１から３のいずれか一項に記載の接続部。
【請求項５】
第２のチューブ部材（５）は、前記部材（５）の上側縁部から前記（１または複数の）陥凹部（６）に延びる前記側壁内の開口チャネルを形成する（１または複数の）スロット（９）を備え、
前記（１または複数の）突起部（３）は、前記チャネル内に通されて案内され、前記（１または複数の）陥凹部（６）内に係合位置を確保する請求項１から４のいずれか一項に記載の接続部。
【請求項６】
前記第１のチューブ部材（１）は、前記出口（２）の近くの外径（ｄ３）が上流の外径（ｄ１）に比べて小さい実質的に円錐状の形状である請求項１から５のいずれか一項に記載の接続部。
【請求項７】
前記第２のチューブ部材（５）の内径（ｄ４）は、前記第１のチューブ部材（１）の外径（ｄ１）及び（ｄ３）より大きい請求項６に記載の接続部。
【請求項８】
前記第１のチューブ部材（１）は、直径（ｄ２）が（ｄ１）、（ｄ３）、及び（ｄ４）より大きい幅広の中間部（２０）を備える請求項７に記載の接続部。
【請求項９】
前記幅広部分（２０）は、前記外面上の円錐状突起部によって形成される請求項８に記載の接続部。
【請求項１０】
前記（１または複数の）突起部（３）は、前記第１のチューブ部材（１）の遠位端部に設けられ、前記第２のチューブ部材（５）の遠位縁部と係合するように構成されている請求項１から９のいずれか一項に記載の接続部。
【請求項１１】
前記第１のチューブ部材（１）及び前記第２のチューブ部材（５）は、前記（１または複数の）突起部（３）が前記（１または複数の）陥凹部（６）と係合するまで前記第１のチューブ部材（１）上で前記第２のチューブ部材（５）を押圧しかつ／または回転させることによって接続されるように構成されている請求項１から１０のいずれか一項に記載の接続部。
【請求項１２】
前記突起部（３）及び陥凹部（６）は、前記第２のチューブ部材（５）を圧縮し、及び／または回すことによって係脱されるように構成されている請求項１から１１のいずれか一項に記載の接続部。
【請求項１３】
前記第１のチューブ部材（１）は、それぞれが突起部（３）を有する少なくとも２つの対向するフレキシブルな脚部（１０）を備え、
前記脚部（１０）は、前記第２のチューブ部材（５）の前記（１または複数の）陥凹部（６）または縁部（１１）から前記突起部（３）を係脱できるように互いに向かう形で曲げることができる請求項１から１２のいずれか一項に記載の接続部。
【請求項１４】
前記第１のチューブ部材（１）は、実質的に硬質のプラスチック材料で作られる請求項１から１３のいずれか一項に記載の接続部。
【請求項１５】
前記第２のチューブ部材（５）は、実質的に軟質のプラスチック材料で作られる請求項１から１４のいずれか一項に記載の接続部。
【請求項１６】
前記第１のチューブ部材（１）は、液体の量を測定するための計量器（１２）に接続される請求項１から１５のいずれか一項に記載の接続部。
【請求項１７】
前記第１のチューブ部材（１）は、前記計量器（１２）の固定インモールド成形部であり、出口（１６）を定める請求項１６に記載の接続部。
【請求項１８】
前記第１のチューブ部材（１）は、正反対に配置されている２つの突起部（３）を備える請求項１から１７のいずれか一項に記載の接続部。
【請求項１９】
前記ランプ部（５１）は、前記第１のチューブ部材（１）及び／または前記第２のチューブ部材（５）上にある実質的に半円形のセクション（５０）によって少なくとも部分的に形成される請求項１から１８のいずれか一項に記載の接続部。
【請求項２０】
前記ランプ部（５１）は、前記第１のチューブ部材（１）及び／または前記第２のチューブ部材（５）上にある環状セクションによって少なくとも部分的に形成される請求項１から１８のいずれか一項に記載の接続部。
【請求項２１】
体液を測定するための装置であって、
上端に液体入口（１０２）、下端に液体出口（１０４）を有する計量器（１００）であって、当該計量器（１００）の内側底面（１０３）が湾曲している計量器（１００）と、
前記計量器（１００）の内側で尿の量を読み取るために前記計量器（１００）上に付けられている計量用目盛（１０５）と、
均等目盛（１０５）を使用できるように前記計量器（１００）の内側の湾曲している底面（１０３）を補正するため、計量器（１００）の内側に設けられ、前記計量器（１００）の定義済み容積を占有する充填要素（１０６）と、
を備える装置。
【請求項２２】
前記充填要素（１０６）は、前記計量器（１）の内側の壁部分の中、及び／または壁部分の上に設けられている突出部または陥凹部を備える請求項２１に記載の装置。
【請求項２３】
前記充填要素は、前記計量器の製造後に前記計量器の内側に配置されている独立の固定または可動要素を備える請求項２１または２２に記載の装置。
【請求項２４】
前記底面（１０３）は、円弧として形成される請求項２１から２３のいずれか一項に記載の装置。
【請求項２５】
出口（１０４）が設けられている弁（１０９、１１０）及び前記液体出口（１０４）に接続され、前記計量器（１００）から吊り下げられている液体収集袋（１０８）をさらに備える請求項２１から２４のいずれか一項に記載の装置。
【請求項２６】
前記計量器（１００）内に配置され前記計量器（１００）と共に垂直方向に変位可能な中空弁本体（１０９）を備え、
前記液体出口（１０４）は、前記中空弁本体（１０９）用の弁座（１１０）の形状を有し、
前記弁本体（１０９）の内部は、受入チャンバー（１１２）とオーバーフローチャンバー（１１３）とに分割され、
前記受入チャンバー（１１２）は、前記液体入口（１０２）に接続されており、前記弁本体（１０９）の下端部において前記弁本体（１０９）の閉位置で前記弁座（１１０）によって閉鎖され、かつ上側部分において前記チャンバー壁内の少なくとも１つの孔（１１６）を通して前記計量器（１００）に接続される少なくとも１つの出口開口部（１１４）を有し、
前記オーバーフローチャンバー（１１３）は、下端部に前記チャンバー壁内の孔（１１８）を介して前記計量器（１００）に直接接続されるダクト（１１７）を有し、
前記孔は、前記受入チャンバー（１１２）を前記計量器（１００）に接続しかつ前記計量器（１００）を前記オーバーフローチャンバー（１１３）に接続しており、前記中空弁本体（１０９）の同じ側に配置されている請求項２５に記載の装置。
【請求項２７】
前記弁本体（１０９）は、上端において前記弁本体（１０９）の外側から半径方向に延在する突起部（１２１）を有し、
前記突起部（１２１）は、前記計量器（１００）の囲む部分の内側の切り欠き内に配置され、これにより、前記弁本体（１０９）が回転すると前記弁本体（１０９）が垂直方向に変位する請求項２６に記載の装置。
【請求項２８】
前記弁本体（１０９）は、その上端部において半径方向に延在するウィング（１２６）を備える請求項２７に記載の装置。
【請求項２９】
前記計量器（１００）の内側は、前記弁本体（１０９）の外側に接触する１または複数の突起部を備え、前記弁本体（１０９）のガイドとして働く請求項２６から２８のいずれか一項に記載の装置。
【請求項３０】
Ｏリング用の２つの環状溝（１１９）が、閉位置で前記弁座（１１０）と接触する前記弁本体（１０９）のそのゾーン内に設けられている請求項２６から２９のいずれか一項に記載の装置。
【請求項３１】
前記弁本体（１０９）は、カバー（１１１）によって上部で閉鎖される請求項２６から３０のいずれか一項に記載の装置。
【請求項３２】
前記カバー（１１１）は、弁フラップによって覆われている傾斜端面を有するチューブ部材の形態の液体入口（１２２）を備える請求項３１に記載の装置。
【請求項３３】
前記カバー（１１１）は、空気透過及び液密フィルターによって覆われている開口部（１２４）を備える請求項３２に記載の装置。
【請求項３４】
尿を測定し、収集するための請求項２１から３３のいずれか一項に記載の装置。
【請求項３５】
計量器（１００）及び請求項１から２０のいずれか一項に記載のホース接続部によって接続されている収集袋（１０８）を備える、患者からの液体の量を測定するための装置構成。
【請求項３６】
上端に液体入口（１０２）が下端に弁が設けられている液体出口（１０４）を有する計量器（１００）と、前記液体出口（１０４）に接続され前記計量器から吊り下げられている液体収集袋（１０８）と、を備える、体液を測定し、収集する装置構成であって、
中空弁本体（１０９）が前記計量器（１００）内に配置され、前記計量器（１００）内で垂直方向に変位可能であり、前記液体出口の一部が、前記中空弁本体（１０９）用の弁座（１１０）の形状を有し、
前記弁本体の内部は、受入チャンバー（１１２）と、オーバーフローチャンバー（１１３）と、に分割され、
前記受入チャンバー（１１２）は、前記液体入口（１０２）に接続され、前記弁本体の前記下端部において前記弁本体（１０９）の前記閉位置で前記弁座（１１０）によって閉鎖さられかつ上側部分において前記チャンバー壁内の少なくとも１つの孔（１１６）を通して前記計量器（１００）に接続される少なくとも１つの出口開口部（１１４）を有し、
前記オーバーフローチャンバー（１１３）は、下端部において前記計量器（１００）の前記液体出口（１０４）に直接接続され、上端部において前記チャンバー壁内の孔（１１８）を介して前記計量器（１００）に接続されるダクト（１１７）を有し、
前記孔は、前記受入チャンバー（１１２）を前記計量器（１００）に接続しかつ前記計量器（１００）を前記オーバーフローチャンバー（１１３）に接続しており、前記中空弁本体（１０９）の同じ側に置かれ、
前記計量器（１００）及び収集袋（１０８）は、請求項１から２０のいずれか一項に記載のホース接続部によって接続される装置構成。
【請求項３７】
患者から尿を収集するための請求項３５または３６に記載の装置構成の使用。
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
患者から液体を収集する装置構成用のホース接続部であって、
前記患者の臓器と流体接続し、１以上の突起部（３）が外面上に配置される第１のチューブ部材（１）であって、前記突起部は、張出部として少なくとも部分的に形成されている支持面（２１）及び出口（２）を備える、第１のチューブ部材（１）と、
前記出口（２）に接続可能な入口を有しかつ前記第１のチューブ部材（１）を通り抜けた液体を収集するための収集袋（２０８）に接続される第２のチューブ部材（５）であって、前記入口は、当該第２のチューブ部材（５）を備え、当該第２のチューブ部材（５）は、前記第１のチューブ部材（１）の少なくとも一部を受け入れて取り囲むように構成されており、当該第２のチューブ部材（５）は、前記第１のチューブ部材（１）と当該第２のチューブ部材（５）との間でロックされ、分離可能である接続部を形成するためにそれぞれ前記突起部（３）と係合可能である１以上の陥凹部（６）及び／または縁部（１１）を有する、第２のチューブ部材（５）と、
を備え、
ランプ部（５１）は、前記第１のチューブ部材（１）及び／または第２のチューブ部材（５）上に形成され、
前記ランプ部（５１）は前記部材（１、５）の係脱が簡単に行えるように前記他の部材（１，５）上の表面と係合するホース接続部。
【請求項２】
前記支持面（２１）は、実質的に垂直方向に、外面（２２）から半径方向外に向かって広がり、前記傾斜面（２３）は、前記支持面の前記遠位端から前記外面（２２）に向かって広がる請求項１に記載の接続部。
【請求項３】
前記傾斜面（２３）は、凸形を有する請求項２に記載の接続部。
【請求項４】
前記（１以上の）陥凹部（６）は、第２の部材（５）の側壁を通り、前記（１以上の）突起部（３）の外形と実質的に同一である外形を有する請求項１から３のいずれか一項に記載の接続部。
【請求項５】
第２のチューブ部材（５）は、前記部材（５）の上側縁部から前記（１以上の）陥凹部（６）に延びる前記側壁内の開口チャネルを形成する（１以上の）スロット（９）を備え、
前記（１以上の）突起部（３）は、前記チャネル内に通されて案内され、前記（１以上の）陥凹部（６）内に係合位置を確保する請求項１から４のいずれか一項に記載の接続部。
【請求項６】
前記第１のチューブ部材（１）は、前記出口（２）の近くの外径（ｄ３）が上流の外径（ｄ１）に比べて小さい実質的に円錐状の形状である請求項１から５のいずれか一項に記載の接続部。
【請求項７】
前記第２のチューブ部材（５）の内径（ｄ４）は、前記第１のチューブ部材（１）の外径（ｄ１）及び（ｄ３）より大きい請求項６に記載の接続部。
【請求項８】
前記第１のチューブ部材（１）は、直径（ｄ２）が（ｄ１）、（ｄ３）、及び（ｄ４）より大きい幅広の中間部（２０）を備える請求項７に記載の接続部。
【請求項９】
前記幅広部分（２０）は、前記外面上の円錐状突起部によって形成される請求項８に記載の接続部。
【請求項１０】
前記（１以上の）突起部（３）は、前記第１のチューブ部材（１）の遠位端部に設けられ、前記第２のチューブ部材（５）の遠位縁部と係合するように構成されている請求項１から９のいずれか一項に記載の接続部。
【請求項１１】
前記第１のチューブ部材（１）及び前記第２のチューブ部材（５）は、前記（１以上の）突起部（３）が前記（１以上の）陥凹部（６）と係合するまで前記第１のチューブ部材（１）上で前記第２のチューブ部材（５）を押圧しかつ／または回転させることによって接続されるように構成されている請求項１から１０のいずれか一項に記載の接続部。
【請求項１２】
前記突起部（３）及び陥凹部（６）は、前記第２のチューブ部材（５）を圧縮し、及び／または回すことによって係脱されるように構成されている請求項１から１１のいずれか一項に記載の接続部。
【請求項１３】
前記第１のチューブ部材（１）は、それぞれが突起部（３）を有する少なくとも２つの対向するフレキシブルな脚部（１０）を備え、
前記脚部（１０）は、前記第２のチューブ部材（５）の前記（１以上の）陥凹部（６）または縁部（１１）から前記突起部（３）を係脱できるように互いに向かう形で曲げることができる請求項１から１２のいずれか一項に記載の接続部。
【請求項１４】
前記第１のチューブ部材（１）は、実質的に硬質のプラスチック材料で作られる請求項１から１３のいずれか一項に記載の接続部。
【請求項１５】
前記第２のチューブ部材（５）は、実質的に軟質のプラスチック材料で作られる請求項１から１４のいずれか一項に記載の接続部。
【請求項１６】
前記第１のチューブ部材（１）は、液体の量を測定するための計量器（１２）に接続される請求項１から１５のいずれか一項に記載の接続部。
【請求項１７】
前記第１のチューブ部材（１）は、前記計量器（１２）の固定インモールド成形部であり、出口（１６）を定める請求項１６に記載の接続部。
【請求項１８】
前記第１のチューブ部材（１）は、正反対に配置されている２つの突起部（３）を備える請求項１から１７のいずれか一項に記載の接続部。
【請求項１９】
前記ランプ部（５１）は、前記第１のチューブ部材（１）及び／または前記第２のチューブ部材（５）上にある実質的に半円形のセクション（５０）によって少なくとも部分的に形成される請求項１から１８のいずれか一項に記載の接続部。
【請求項２０】
前記ランプ部（５１）は、前記第１のチューブ部材（１）及び／または前記第２のチューブ部材（５）上にある環状セクションによって少なくとも部分的に形成される請求項１から１８のいずれか一項に記載の接続部。
【請求項２１】
体液を測定するための装置であって、
上端に液体入口（１０２）、下端に液体出口（１０４）を有する計量器（１００）であって、当該計量器（１００）の内側底面（１０３）が湾曲している計量器（１００）と、
前記計量器（１００）の内側で尿の量を読み取るために前記計量器（１００）上に付けられている計量用目盛（１０５）と、
均等目盛（１０５）を使用できるように前記計量器（１００）の内側の湾曲している底面（１０３）を補正するため、計量器（１００）の内側に設けられ、前記計量器（１００）の定義済み容積を占有する充填要素（１０６）と、
を備える装置。
【請求項２２】
前記充填要素（１０６）は、前記計量器（１）の内側の壁部分の中、及び／または壁部分の上に設けられている突出部または陥凹部を備える請求項２１に記載の装置。
【請求項２３】
前記充填要素は、前記計量器の製造後に前記計量器の内側に配置されている独立の固定または可動要素を備える請求項２１または２２に記載の装置。
【請求項２４】
前記底面（１０３）は、円弧として形成される請求項２１から２３のいずれか一項に記載の装置。
【請求項２５】
出口（１０４）が設けられている弁（１０９、１１０）及び前記液体出口（１０４）に接続され、前記計量器（１００）から吊り下げられている液体収集袋（１０８）をさらに備える請求項２１から２４のいずれか一項に記載の装置。
【請求項２６】
前記計量器（１００）内に配置され前記計量器（１００）と共に垂直方向に変位可能な中空弁本体（１０９）を備え、
前記液体出口（１０４）は、前記中空弁本体（１０９）用の弁座（１１０）の形状を有し、
前記弁本体（１０９）の内部は、受入チャンバー（１１２）とオーバーフローチャンバー（１１３）とに分割され、
前記受入チャンバー（１１２）は、前記液体入口（１０２）に接続されており、前記弁本体（１０９）の下端部において前記弁本体（１０９）の閉位置で前記弁座（１１０）によって閉鎖され、かつ上側部分において前記チャンバー壁内の少なくとも１つの孔（１１６）を通して前記計量器（１００）に接続される少なくとも１つの出口開口部（１１４）を有し、
前記オーバーフローチャンバー（１１３）は、下端部に前記チャンバー壁内の孔（１１８）を介して前記計量器（１００）に直接接続されるダクト（１１７）を有し、
前記孔は、前記受入チャンバー（１１２）を前記計量器（１００）に接続しかつ前記計量器（１００）を前記オーバーフローチャンバー（１１３）に接続しており、前記中空弁本体（１０９）の同じ側に配置されている請求項２５に記載の装置。
【請求項２７】
前記弁本体（１０９）は、上端において前記弁本体（１０９）の外側から半径方向に延在する突起部（１２１）を有し、
前記突起部（１２１）は、前記計量器（１００）の囲む部分の内側の切り欠き内に配置され、これにより、前記弁本体（１０９）が回転すると前記弁本体（１０９）が垂直方向に変位する請求項２６に記載の装置。
【請求項２８】
前記弁本体（１０９）は、その上端部において半径方向に延在するウィング（１２６）を備える請求項２７に記載の装置。
【請求項２９】
前記計量器（１００）の内側は、前記弁本体（１０９）の外側に接触する１以上の突起部を備え、前記弁本体（１０９）のガイドとして働く請求項２６から２８のいずれか一項に記載の装置。
【請求項３０】
Ｏリング用の２つの環状溝（１１９）が、閉位置で前記弁座（１１０）と接触する前記弁本体（１０９）のそのゾーン内に設けられている請求項２６から２９のいずれか一項に記載の装置。
【請求項３１】
前記弁本体（１０９）は、カバー（１１１）によって上部で閉鎖される請求項２６から３０のいずれか一項に記載の装置。
【請求項３２】
前記カバー（１１１）は、弁フラップによって覆われている傾斜端面を有するチューブ部材の形態の液体入口（１２２）を備える請求項３１に記載の装置。
【請求項３３】
前記カバー（１１１）は、空気透過及び液密フィルターによって覆われている開口部（１２４）を備える請求項３２に記載の装置。
【請求項３４】
尿を測定し、収集するための請求項２１から３３のいずれか一項に記載の装置。
【請求項３５】
計量器（１００）及び請求項１から２０のいずれか一項に記載のホース接続部によって接続されている収集袋（１０８）を備える、患者からの液体の量を測定するための装置構成。
【請求項３６】
上端に液体入口（１０２）が下端に弁が設けられている液体出口（１０４）を有する計量器（１００）と、前記液体出口（１０４）に接続され前記計量器から吊り下げられている液体収集袋（１０８）と、を備える、体液を測定し、収集する装置構成であって、
中空弁本体（１０９）が前記計量器（１００）内に配置され、前記計量器（１００）内で垂直方向に変位可能であり、前記液体出口の一部が、前記中空弁本体（１０９）用の弁座（１１０）の形状を有し、
前記弁本体の内部は、受入チャンバー（１１２）と、オーバーフローチャンバー（１１３）と、に分割され、
前記受入チャンバー（１１２）は、前記液体入口（１０２）に接続され、前記弁本体の前記下端部において前記弁本体（１０９）の前記閉位置で前記弁座（１１０）によって閉鎖さられかつ上側部分において前記チャンバー壁内の少なくとも１つの孔（１１６）を通して前記計量器（１００）に接続される少なくとも１つの出口開口部（１１４）を有し、
前記オーバーフローチャンバー（１１３）は、下端部において前記計量器（１００）の前記液体出口（１０４）に直接接続され、上端部において前記チャンバー壁内の孔（１１８）を介して前記計量器（１００）に接続されるダクト（１１７）を有し、
前記孔は、前記受入チャンバー（１１２）を前記計量器（１００）に接続しかつ前記計量器（１００）を前記オーバーフローチャンバー（１１３）に接続しており、前記中空弁本体（１０９）の同じ側に置かれ、
前記計量器（１００）及び収集袋（１０８）は、請求項１から２０のいずれか一項に記載のホース接続部によって接続される装置構成。
【請求項３７】
患者から尿を収集するための請求項３５または３６に記載の装置構成の使用。
【国際調査報告】
2010528691.tif 000030
2010528691.tif 000031
2010528691.tif 000032
2010528691.tif 000033
2010528691.tif 000034